(57)【要約】  開口を有する固定羽と、固定羽に重なるように連結され、固定羽の開口を閉鎖する第１の位置と固定羽の開口を開放する第２の位置とに移動可能な可動羽と、を有し、建物開口部を閉鎖するシャッターカーテンと、可動羽が第１の位置にある状態で、シャッターカーテンを建物開口部を閉鎖する全閉状態とする第１のモードと、全閉状態から、可動羽が第２の位置にあるように可動羽を固定羽から離間させる第２のモードと、を有する制御部と、を備えるシャッター装置を提供する。
2015064753.tif 000002
【特許請求の範囲】
【請求項１】
開口を有する固定羽と、該固定羽に重なるように連結され、前記固定羽の前記開口を閉鎖する第１の位置と前記固定羽の前記開口を開放する第２の位置とに移動可能な可動羽と、を有し、建物開口部を閉鎖するシャッターカーテンと、
前記可動羽が第１の位置にある状態で、前記シャッターカーテンを前記建物開口部を閉鎖する全閉状態とする第１のモードと、前記全閉状態から、前記可動羽が前記第２の位置にあるように前記可動羽を前記固定羽から離間させる第２のモードと、を有する制御部と、
を備える、シャッター装置。
【請求項２】
前記第２のモードにおいて、前記制御部が、連結された前記固定羽と前記可動羽とを相対移動させ、前記可動羽を前記固定羽から離間させる、請求項１に記載のシャッター装置。
【請求項３】
前記シャッターカーテンを開方向または閉方向に駆動させる駆動部をさらに備え、
前記制御部は、前記駆動部を駆動させ、前記第２のモードによって前記可動羽と前記固定羽とが離間された第２の位置から、前記可動羽が前記固定羽の前記開口を閉鎖する第１の位置に前記可動羽を戻す第３のモードをさらに有する、
請求項１又は２に記載のシャッター装置。
【請求項４】
前記シャッターカーテンを操作する指示を入力する入力部をさらに備え、
前記制御部は、前記入力部から前記第１のモードが指示されたことに基づいて、前記シャッターカーテンで建物開口部を閉じた後に、前記入力部から前記第２のモードが指示されたことに基づいて、前記可動羽を前記第２の位置に移動させる、
請求項１から３のいずれか１項に記載のシャッター装置。
【請求項５】
前記シャッターカーテンが前記全閉状態であるか否かを検出する検出部をさらに備え、
前記制御部は、前記検出部の検出結果に基づいて、前記シャッターカーテンが前記全閉状態であるか否かを検出する、
請求項１から請求項４のいずれか１項に記載のシャッター装置。
【請求項６】
前記制御部が、前記検出部の検出結果に基づいて、前記シャッターカーテンが前記全閉状態であれば、前記第２モードに移行可と判断する、請求項５に記載のシャッター装置。
【請求項７】
前記制御部は、前記シャッターカーテンが巻き上げられた全開状態とする第４のモードをさらに備える、請求項１から請求項４のいずれか１項に記載のシャッター装置。
【請求項８】
前記制御部は、前記入力部の入力に基づいて、前記第１モード、第２モード、又は第４モードのいずれかに、前記シャッターカーテンを選択的に移行させる、請求項７に記載のシャッター装置。
【請求項９】
前記制御部は、前記入力部から前記第１モード、第２モード、又は第４モードのいずれかのモードへの移行指示を受け付けた後に、他のモードへの指示を受け付ける、請求項８に記載のシャッター装置。
【請求項１０】
開口を有する固定羽と、該固定羽に重なるように連結され、前記固定羽の前記開口を閉鎖する第１の位置と前記固定羽の前記開口を開放する第２の位置とに移動可能な可動羽と、を有し、建物開口部を閉鎖するシャッターカーテンを備える、シャッター装置の制御方法であって、
前記可動羽が第１の位置にある状態で、前記シャッターカーテンを前記建物開口部を閉鎖する全閉状態とする第１のモードと、前記全閉状態から、前記可動羽が前記第２の位置にあるように前記可動羽を前記固定羽から離間させる第２のモードと、に従って前記シャッター装置を制御する、
シャッター装置の制御方法。
【請求項１１】
開口を有する固定羽と、該固定羽に重なるように連結され、前記固定羽の前記開口を閉鎖する第１の位置と前記固定羽の前記開口を開放する第２の位置とに移動可能な可動羽と、を有し、建物開口部を閉鎖するシャッターカーテンを備える、シャッター装置の制御をコンピュータに実行させるためのプログラムであって、
前記可動羽が第１の位置にある状態で、前記シャッターカーテンを前記建物開口部を閉鎖する全閉状態とする第１のモードと、
前記全閉状態から、前記可動羽が前記第２の位置にあるように前記可動羽を前記固定羽から離間させる第２のモードと、
をコンピュータに実行させるためのプログラム。
【請求項１２】
開口を有する固定羽と、該固定羽に重なるように配置され、前記固定羽の前記開口を閉鎖する第１の位置と前記固定羽の前記開口を開放する第２の位置とに移動可能な可動羽と、を有し、前記固定羽と前記可動羽とが連結されて形成されるシャッターカーテンと、を備え、
前記連結された前記固定羽と前記可動羽との相対移動に基づいて、前記可動羽が第１の位置に位置する第１モードと、前記可動羽が前記第２の位置に位置する第２モードと、を有する制御部と、
を備える、シャッター装置。
【発明の詳細な説明】
【技術分野】
【０００１】
本発明は、シャッター装置及びシャッター装置の制御方法に関する。
本願は、２０１３年１０月３１日に、日本に出願された特願２０１３−２２７６８２号に基づき優先権を主張し、その内容をここに援用する。
【背景技術】
【０００２】
一般的なシャッター装置は、互いに連結されている複数のスラットが上下方向に配列して形成されるシャッターカーテンを有する。近年では、シャッターカーテンが閉まっている状態でも、室内への採光や通風ができるシャッター装置が要求されている。特許文献１には、上側のスラットによって下側のスラットを押し当てることで下側のスラットに設けられた可動羽を開け、固定羽に設けられた開口を開状態（通風状態）にする。このシャッター装置によれば、例えば、開口を通風状態とすることで、採光や通風を可能としながらも、可動羽により室外側から室内側の様子を視認しにくい状態とすることが可能となる。
【先行技術文献】
【特許文献】
【０００３】
【特許文献１】欧州特許出願公開第２０３９８７１Ａ１号明細書
【発明の概要】
【発明が解決しようとする課題】
【０００４】
上述したシャッター装置では、採光や通風をする目的から、シャッターカーテンを閉じるように操作装置から操作入力した場合には開状態のシャッターカーテンを閉状態にし、可動羽を開状態にするよう動作する。
しかしながら、採光や通風を行わず、可動羽を閉じるようにする場合には、各スラットが互いに押圧しないように、シャッターカーテンを少し巻き上げるように操作部から操作入力する必要がある。この場合、ユーザは、可動羽を開状態とするべく、シャッターカーテンを巻き上げる指示を操作入力するが、操作入力の仕方によっては、必要以上にシャッターカーテンを巻き上げてしまい、幅木が床面から離間してしまう場合がある。また、幅木が床面から離間した場合には、シャッターカーテンを閉じる操作入力をしなければならず、操作入力の仕方によっては、シャッターカーテンを巻き下げすぎてしまい、可動羽が開状態となってしまう場合がある。【０００５】
本発明は、このような事情に鑑みてなされたもので、シャッターカーテンの可動羽を簡単に制御することができるシャッター装置及びシャッター装置の制御方法を提供する。
【課題を解決するための手段】
【０００６】
本発明の第１態様は、シャッター装置であって、開口を有する固定羽と、該固定羽に重なるように連結され、前記固定羽の前記開口を閉鎖する第１の位置と前記固定羽の前記開口を開放する第２の位置とに移動可能な可動羽と、を有し、建物開口部を閉鎖するシャッターカーテンと、前記可動羽が第１の位置にある状態で、前記シャッターカーテンを前記建物開口部を閉鎖する全閉状態とする第１のモードと、前記全閉状態から、前記可動羽が前記第２の位置にあるように前記可動羽を前記固定羽から離間させる第２のモードと、を有する制御部と、を備える。【０００７】
本発明の第２態様は、上記第１態様のシャッター装置において、前記第２のモードにおいて、前記制御部が、連結された前記固定羽と前記可動羽とを相対移動させ、前記可動羽を前記固定羽から離間させる。
本発明の第３態様は、上記第１又は第２態様のシャッター装置において、前記シャッターカーテンを開方向または閉方向に駆動させる駆動部をさらに備え、前記制御部は、前記駆動部を駆動させ、前記第２のモードによって前記可動羽と前記固定羽とが離間された第２の位置から、前記可動羽が前記固定羽の前記開口を閉鎖する第１の位置に前記可動羽を戻す第３のモードをさらに有する。
上記第３態様のシャッター装置によれば、制御部は、可動羽を開けた状態から閉じた状態へ簡単に制御することができる。【０００８】
本発明の第４態様は、上記第１から第３態様のいずれかのシャッター装置において、前記シャッターカーテンを操作する指示を入力する入力部をさらに備え、前記制御部は、前記入力部から前記第１のモードが指示されたことに基づいて、前記シャッターカーテンで建物開口部を閉じた後に、前記入力部から前記第２のモードが指示されたことに基づいて、前記可動羽を前記第２の位置に移動させる。
上記第４態様のシャッター装置によれば、制御部は、入力部からの指示に基づいて、可動羽を開けるように制御することができる。これにより、ユーザは、入力部に指示を入力することで、可動羽を簡単に開閉することができる。【０００９】
本発明の第５態様は、上記第１から第４態様のいずれかのシャッター装置において、前記シャッターカーテンが前記全閉状態であるか否かを検出する検出部をさらに備え、前記制御部は、前記検出部の検出結果に基づいて、前記シャッターカーテンが前記全閉状態であるか否かを検出する。
上記第５態様のシャッター装置によれば、シャッターカーテンが全閉状態であるか否かを検出部が検出するようにしたので、制御部は、シャッターカーテンが全閉状態であることを確実に把握した上で、可動羽を開けることが可能となる。
本発明の第６態様は、上記第５態様のいずれかのシャッター装置において、前記制御部が、前記検出部の検出結果に基づいて、前記シャッターカーテンが前記全閉状態であれば、前記第２モードに移行可と判断する。
本発明の第７態様は、上記第１から第４態様のいずれかのシャッター装置において、前記制御部は、前記シャッターカーテンが巻き上げられた全開状態とする第４のモードをさらに備える。
本発明の第８態様は、上記第７態様のシャッター装置において、前記制御部は、前記入力部の入力に基づいて、前記第１モード、第２モード、又は第４モードのいずれかに、前記シャッターカーテンを選択的に移行させる。
本発明の第９態様は、上記第８態様のシャッター装置において、前記制御部は、前記入力部から前記第１モード、第２モード、又は第４モードのいずれかのモードへの移行指示を受け付けた後に、他のモードへの指示を受け付ける。【００１０】
本発明の第１０態様は、開口を有する固定羽と、該固定羽に重なるように連結され、前記固定羽の前記開口を閉鎖する第１の位置と前記固定羽の前記開口を開放する第２の位置とに移動可能な可動羽と、を有し、建物開口部を閉鎖するシャッターカーテンを備える、シャッター装置の制御方法であって、前記可動羽が第１の位置にある状態で、前記シャッターカーテンを前記建物開口部を閉鎖する全閉状態とする第１のモードと、前記全閉状態から、前記可動羽が前記第２の位置にあるように前記可動羽を前記固定羽から離間させる第２のモードと、に従って前記シャッター装置を制御する。
本発明の第１１態様は、開口を有する固定羽と、該固定羽に重なるように連結され、前記固定羽の前記開口を閉鎖する第１の位置と前記固定羽の前記開口を開放する第２の位置とに移動可能な可動羽と、を有し、建物開口部を閉鎖するシャッターカーテンを備える、シャッター装置の制御をコンピュータに実行させるためのプログラムであって、前記可動羽が第１の位置にある状態で、前記シャッターカーテンを前記建物開口部を閉鎖する全閉状態とする第１のモードと、前記全閉状態から、前記可動羽が前記第２の位置にあるように前記可動羽を前記固定羽から離間させる第２のモードと、をコンピュータに実行させる。
本発明の第１２態様は、シャッター装置であって、開口を有する固定羽と、該固定羽に重なるように配置され、前記固定羽の前記開口を閉鎖する第１の位置と前記固定羽の前記開口を開放する第２の位置とに移動可能な可動羽と、を有し、前記固定羽と前記可動羽とが連結されて形成されるシャッターカーテンと、を備え、前記連結された前記固定羽と前記可動羽との相対移動に基づいて、前記可動羽が第１の位置に位置する第１モードと、前記可動羽が前記第２の位置に位置する第２モードと、を有する制御部と、を備える。
【発明の効果】
【００１１】
上記本発明に係る態様によれば、制御部が、可動羽を閉じた状態と可動羽を開いた状態とを制御することが可能となる。これにより、可動羽の閉状態と開状態を簡単に制御することが可能となる。
【図面の簡単な説明】
【００１２】
【図１】本発明のー実施形態におけるシャッター装置１の概略図である。
【図２Ａ】本発明のー実施形態における、可動羽が閉じている状態の互いに連結されたスラット１０の側面皮側から見た断面図である。
【図２Ｂ】本発明のー実施形態における、可動羽が開いている状態の互いに連結されたスラットの側面皮側から見た断面図である。
【図３】図１に示すシャッター装置１の機能ブロック図である。
【図４】本発明のー実施形態におけるシャッターカーテン２０の動作のフローチャートである。
【図５】本発明のー実施形態における操作部２００のスイッチとシャッターカーテン２０の状態の遷移の動作フローの一例を示す図である。
【図６】本発明のー実施形態における操作部２００のスイッチとシャッターカーテン２０の状態の遷移の動作フローの他の例を示す図である。
【図７】従来の操作部のスイッチとシャッターカーテンの状態の遷移の動作フローを示す図である。
【発明を実施するための形態】
【００１３】
以下、本発明のー実施形態におけるシャッター装置１を、図面を用いて説明する。図１は、本発明のー実施形態におけるシャッター装置１の外観を表す概略図である。
図１に示すように、本発明のー実施形態におけるシャッター装置１は、長尺な複数のスラット１０が上下方向に連結されることで構成され、建物開口部を閉鎖可能なシャッターカーテン２０と、シャッターボックス３０と、ガイドレール４０、５０を有している。
【００１４】
シャッターボックス３０は、シャッター装置１の上部に設けられており、シャフト３１とモータ３２とを有している。シャフト３１は、シャッターカーテン２０の上端部とモータ３２とに連結されている。シャフト３１は、モータ３２によって正逆方向に回転駆動され、シャフト３１の回転に応じて、スラット１０（シャッターカーテン２０）の巻き出し、又は、巻き取りが行われる。モータ３２は、シャフト３１を駆動する駆動部であり、例えば直流モータから構成されている。
【００１５】
シャッターカーテン２０の幅方向の両端は、床面から天井部分にかけて立設されるガイドレール４０、５０によってガイドされ、シャッターカーテン２０を構成する各スラット１０の横ずれがガイドレール４０、５０によって規制される。シャフト３１及びシャフト３１に巻き取られたスラット１０は、シャッターボックス３０内に収容されるようになっている。
【００１６】
次に、シャッターカーテン２０の構造について、図２Ａ、図２Ｂを用いて説明する。図２Ａ、図２Ｂは、互いに連結された複数のスラット１０の側面側から見た断面図である。
スラット１０は、可動羽１００と固定羽１０１を有している。可動羽１００は、上端部に下前フック１００ａと上前フック１００ｂと中前フック１００ｃとが形成されている。
固定羽１０１は、上端部に上後フック１０１ａと下端部に下後フック１０１ｂと突起部１０１ｃとが形成されている。また、固定羽１０１は、図２Ａ、図２Ｂに示すように、開口１０１ｄが形成されている。次に上側と下側に連結されるスラット１０について説明する。上側のスラット１０の固定羽１０１に設けられた突起部１０１ｃと上前フック１００ｂとが、下側のスラット１０の可動羽１００に設けられた上前フック１０１ｂに対して係合される。下側のスラット１０の可動羽１００の下前フック１００ａと中前フック１００ｃとが、下側スラット１０の固定羽１０１に設けられた上後フック１０１ａに対して係合される。これにより、複数のスラット１０どうしが連結され、シャッターカーテン２０が構成されている。
ここでは、可動羽１００が設けられたスラットは、シャッターカーテン２０を構成する複数のスラット１０のうち、少なくとも一つ以上設けられていればよい。また、開口１０１ｄは、スラット１０の幅方向のうち、一部が開口されることによって構成されてもよい。また、開口１０１ｄは、１つのスラット１０に対し複数設けられてもよい。この開口１０１ｄは、複数のスリット状の孔から構成されてもよいし、スリット孔に金網状が設けられてもよい。この場合、可動羽１００は、開口１０１ｄに応じて１つのスラット１０の開口１０１ｄ毎に幅方向に複数設けられてもよいし、幅方向にある複数の開口１０１ｄに対して１つの可動羽１００が設けられるようにしてもよい。
【００１７】
図２Ａは、可動羽１００が閉じている状態におけるシャッターカーテン２０の断面図である。この図において、シャッターカーテン２０が閉状態（シャッターカーテン２０の幅木が床面に当接している状態）あるいは、シャッターカーテン２０の一部を閉じた状態（一時停止状態）において、可動羽１００は、開口１０１ｄが閉状態となるように固定羽１０１に対して少なくとも一部分が当接し、かつ固定羽１０１に沿うように位置している状態（閉状態）を表している。可動羽１００が閉状態である場合、開口１０１ｄが閉状態となるため、室外からの光や風は、開口１０１ｄから室内側に通過することができない。
【００１８】
図２Ｂは、可動羽１００が開いている状態におけるシャッターカーテン２０の断面図である。この図において、シャッターカーテン２０が閉状態（シャッターカーテン２０の幅木が床面に当接している状態）である場合において、上側のスラット１０と下側のスラット１０との相対移動に基づいて、可動羽１００が開状態となる状態を表している。可動羽１００は、固定羽１０１に対して角度を有するように位置している。
この相対移動は、例えば、上側のスラット１０によって下側のスラット１０が押圧されることで、行うことができる。
可動羽１００が開状態である場合、開口１０１ｄが開状態となり、室外からの光や風が、開口１０１ｄから室内側に通過することが可能となる。
ここでは、シャッターカーテン２０が閉状態となった後、さらにシャッターカーテン２０を巻き出すようにモータ３２が所定の回転数だけ正回転することによって、上側のスラット１０の突起部１０１ｃの先端部ｘが、下側のスラット１０の可動羽１００の当接面ｙの室内側を押圧することにより、下側のスラット１０の固定羽の上端部（上後フック１０１ａ）を支点とし、可動羽１００が開状態となる。また、可動羽１００が開状態となった後、シャッターカーテン２０を巻き取るようにモータ３２が所定の回転数だけ逆回転することによって、上側のスラット１０の突起部１０１ｃの先端部ｘが、下側のスラット１０の可動羽１００の当接面ｙから離間することで、可動羽１００が閉状態（図２Ａ）となる。
【００１９】
図３は、シャッター装置１の機能を表す機能ブロック図である。この図において、シャッター装置１は、操作部（入力部）２００と、制御装置３００と、検出部４００と、モータ３２を備えている。
操作部２００は、制御装置３００に接続されている。操作部２００は、開スイッチ２０１、停止スイッチ２０２、閉スイッチ２０３が設けられている。ユーザは、これらのスイッチを押下することで、シャッターカーテン２０の通常操作又は通風操作を行うことができる。通常動作は、シャッターカーテン２０を閉める操作と開閉動作中のシャッターカーテン２０の動作を停止させる操作である。通風操作は、上述したようにスラット１０の可動羽１００を開く操作である。操作部２００は、ユーザによっていずれかのスイッチが押下されると、制御装置３００にスイッチに応じた信号であるスイッチ信号を出力する。この操作部２００と制御装置３００との通信は、有線でもよいし、無線によって行ってもよい。
【００２０】
検出部４００は、シャッターカーテン２０の幅木が床面に当接したことを検知する。検出部４００は、例えば、モータ３２の駆動状況（例えば負荷）を検出する機能を有する。
検出部４００は、例えばモータ３２に内蔵されたエンコーダ（不図示）から位置パルスを取得する。エンコーダから得られる位置パルスは、モータ３２が所定量回転する毎に出力される。また、エンコーダからの位置パルスは、モータ３２の回転速度が遅くなるに従ってそのパルス幅が大きくなり、モータ３２の回転速度が速くなるに従ってそのパルス幅が小さくなる。よって、検出部４００は、エンコーダから得られる位置パルスをカウントすることによりモータ３２の回転数を負荷として算出する。また、検出部４００は、エンコーダからの位置パルスのパルス幅を求めることによりモータ３２の回転速度を負荷として検出しても良い。検出部４００は、検出結果を制御装置３００に出力する。
【００２１】
制御装置３００は、操作部２００とモータ３２と検出部４００との各々に接続されている。制御装置３００は、例えばＣＰＵ（Ｃｅｎｔｒａｌ  Ｐｒｏｃｅｓｓｉｎｇ  Ｕｎｉｔ）や記憶装置などから構成され、操作部２００のスイッチの操作に応じてモータ３２の駆動を制御する。
制御装置３００は、制御部３０１と、ドライバ３０２とを備えている。
制御部３０１は、シャッターカーテン２０と可動羽１００とを閉じた状態である第１のモードと、シャッターカーテンを閉じた状態から相対移動に基づいて可動羽を開状態にする第２のモードと、第２のモードによって開状態となった可動羽を再び閉状態とするためモータ３２を逆回転させる第３のモードを有する。
また、制御部３０１は、第１のモードによってシャッターカーテン２０が閉状態となった後に、操作部２００から第２のモードに移行する指示の入力を受けた場合に第２のモードに移行可能である。例えば、制御部３０１は、シャッターカーテン２０が開状態から閉状態に移行した状態において、ユーザが行った操作部２００のスイッチの操作（以下、「スイッチ操作」という。）に応じて、ドライバ３０２によって、モータ３２の駆動を制御する。より具体的に、制御部３０１は、操作部２００から得られるスイッチ信号に基づいて操作部２００のどのスイッチが押されたかを判定する。また、制御部３０１は、操作部２００からスイッチ信号を受信すると、自身に設けられたタイマーによって計時し、スイッチ信号を予め設定された時間Ｔ１以上継続して受信したか否かに基づいて押下されたスイッチが長押しされているか否かを判定する。
また、制御部３０１は、計時してから予め設定された時間Ｔ２（≦Ｔ１）の間に、異なる２種類以上のスイッチ信号を受信した場合、ユーザが操作部２００の複数のスイッチを共に押下したと判定する。
【００２２】
制御部３０１は、ユーザが操作部２００の開スイッチ２０１が短押しされたと判定した場合、モータ３２の駆動によりシャッターカーテン２０をシャフト３１に巻き取らせて上昇させる指令（以下、「開指令」という。）をドライバ３０２に対して出力する。制御部３０１は、ユーザが操作部２００の閉スイッチ２０３を短押しされたと判定した場合、モータ３２の駆動によりシャッターカーテン２０をシャフト３１から巻き出させて下降させる指令（以下、「閉指令」という。）をドライバ３０２に対して出力する。制御部３０１は、ユーザが操作部２００の停止スイッチ２０２を短押しした場合、モータ３２の駆動を停止することでシャッターカーテン２０の動作を停止させる指令（停止指令）をドライバ３０２に対して出力する。なお、例えば、制御部３０１は、スイッチ信号を予め設定された時間Ｔ１以上継続して受信していない場合に押下されたスイッチが短押しされていると判定する。
【００２３】
また、制御部３０１は、上述した通常操作をさせるスイッチ操作とは別のスイッチ操作（以下、「スラット切替スイッチ操作」という。）をユーザが行った場合、モータ３２にスラット１０の可動羽１００を稼動させる指令（以下、「旋回指令」という。）をドライバ３０２に対して出力する。スラット切替スイッチ操作は、例えば操作部２００のうち予め決められたいずれか１つのスイッチを長押しする操作や操作部２００の複数の異なるスイッチを共に押下する操作である。操作部２００のスイッチの長押し操作は、開スイッチ２０１、停止スイッチ２０２、閉スイッチ２０３のいずれかのスイッチであってもよい。
また、操作部２００の複数の異なるスイッチを共に押下する操作は、開スイッチ２０１、停止スイッチ２０２、閉スイッチ２０３のうち少なくとも２以上のスイッチを押下すればよい。なお、シャッターカーテン２０が閉状態から通風状態に移行する専用のスイッチを操作部２００に設けても良い。
【００２４】
制御部３０１は、シャッターカーテン２０を閉じる動作を行っている間、検出部４００から負荷を一定周期毎に取得する。制御部３０１は、取得した負荷が全閉閾値以上か否かを判定することで、シャッターカーテンが閉状態であるか否かを検出する。全閉閾値は、シャッターカーテン２０が閉じられたことを判定する値であり、シャッターカーテン２０の幅木が床面に当接したときのモータ３２の負荷の値である。この全閉閾値は、例えば開状態から閉状態になるまでのシャッターカーテン２０の移動距離に応じて決められている。なお、エンコーダから得られる位置パルスは、シャッターカーテン２０の幅木が床面に当接すると通常動作時のモータの負荷よりも高くなるため、パルス幅が大きくなり、回転数が低下する。
制御部３０１は、検出部４００から取得した負荷が全閉閾値以上の場合、シャッターカーテン２０の幅木が床面に当接したと判定する。この場合、制御部３０１はドライバ３０２に停止指令を出力し、シャッターカーテン２０の動作が停止する。一方、制御部３０１は、検出部４００から取得した負荷が全閉閾値未満の場合、シャッターカーテン２０が閉じられていないと判定し、ドライバ３０２に対する閉指令の出力を継続する。なお、制御部３０１は、モータの負荷及びその負荷の変動からシャッターカーテン２０の位置、つまりシャッターカーテン２０が巻き上げられた開状態（全開状態、第４のモード）、閉状態（全閉状態、第１のモード）、一時停止状態、通風状態（第２のモード）のいずれかであるか判定することができる。この一時停止状態は、閉動作あるいは開動作を行っている途中において、閉状態あるいは開状態に到達する前に停止スイッチ２０２が押下されたか否かを検出することによって判定可能である。
【００２５】
制御部３０１は、シャッターカーテン２０が閉状態である場合、ユーザによってステップ切替スイッチ操作が行われると、予め設定された回数Ｎを指定するとともに旋回指令をモータ３２に出力する。回数Ｎは、シャッターカーテン２０を閉状態から通風状態にするのに必要なモータ３２を回転させる回数であり、実験等を行った結果に基づいて予め設定されている。
また、制御部３０１は、シャッターカーテン２０が通風状態である場合、ユーザによってステップ切替スイッチ操作が行われると、予め設定された回数Ｎを指定するとともに逆旋回指令をモータ３２に出力する。逆旋回指令は、モータ３２にスラット１０の可動羽１００を逆方向に稼動させる、つまり閉状態にする指令である。
【００２６】
ドライバ３０２は、制御部３０１からの指令に基づいて、モータ３２の駆動信号を生成しモータ３２に出力することでモータ３２の制御を行っている。ドライバ３０２は、シャッターカーテン２０の開動作又は閉動作中において負荷変動にかかわらず所定の回転速度を維持させている。シャッターカーテン２０が閉状態の場合、ドライバ３０２は、旋回指令を受信すると、モータ３２を巻き出し方向に回数Ｎだけ回転させる。これより、シャッターカーテン２０は通風状態になる。一方、シャッターカーテン２０が通風状態の場合、ドライバ３０２は逆旋回指令を受信すると、モータ３２を巻き取り方向に回数Ｎだけ回転させる。これより、シャッターカーテン２０は閉状態になる。
【００２７】
次に、シャッター装置の制御装置３００の動作について、図４のフローチャートに基づいて説明する。図４は、本実施形態におけるシャッターカーテン２０の動作のフローチャートである。ここでは、シャッターカーテン２０の初期状態として、シャッターカーテン２０が開状態である場合を説明する。
ステップＳ１００において、制御部３０１は、ユーザが閉スイッチ２０３を押下することで操作部２００から閉操作のスイッチ信号が入力されたか否かの判定を行う。制御部３０１は、操作部２００から閉操作のスイッチ信号が入力されていないと判定した場合（ステップＳ１００：ＮＯ）、制御部３０１は、再度ステップＳ１００の判定を行う。制御部３０１は、操作部２００から閉操作のスイッチ信号が入力されたと判定した場合（ステップＳ１００：ＹＥＳ）、制御部３０１は、閉指令をドライバ３０２に出力する。ドライバ３０２は、モータ３２に対し閉指令に基づいた駆動信号を送信することで、モータ３２を巻き出し方向に駆動させる。これにより、モータ３２に連結されたシャフト３１が巻き出し方向に回転するため、シャフト３１に巻かれたスラット１０が巻き出され、シャッター装置１の閉動作が行われる。
【００２８】
ステップＳ１０１において、制御部３０１は、シャッターカーテン２０の閉動作中に、検出部４００から一定時間毎にモータの負荷の検出結果を取得し、全閉閾値以上か否か判定する。モータの負荷が全閉閾値未満の場合（ステップＳ１０１：ＮＯ）、制御部３０１は、シャッターカーテン２０の閉動作を継続する。モータの負荷が全閉閾値以上の場合（ステップＳ１０１：ＹＥＳ）、ステップＳ１０２に進む。なお、制御部３０１は、モータの負荷の検出結果が全閉閾値以上になるまでシャッターカーテン２０の閉動作を継続する。
【００２９】
ステップＳ１０２において、制御部３０１は、停止指令をドライバ３０２に出力する。
ドライバ３０２は、停止指令に基づき、モータ３２に駆動信号の出力を停止し、モータ３２の回転を停止させる。これにより、シャッターカーテン２０の閉動作が停止する。
ステップＳ１０３において、制御部３０１は、操作部２００からユーザのステップ切替スイッチ操作に応じたスイッチ信号を検知したか否かを判定する。制御部３０１は、ユーザのステップ切替スイッチ操作を検知しない場合（ステップＳ１０３：ＮＯ）、ステップＳ１０４に進む。一方、制御部３０１は、ユーザのステップ切替スイッチ操作を検知した場合（ステップＳ１０３：ＹＥＳ）、ステップＳ１０６に進む。
【００３０】
ステップＳ１０４において、制御部３０１は、操作部２００から操作部２００から開操作に応じたスイッチ信号を検知したか否かを判定する。制御部３０１は、操作部２００から開操作のスイッチ信号を検知しない場合（ステップＳ１０４：ＮＯ）、ステップＳ１０３に戻る。一方、制御部３０１は、開操作を検知した場合（ステップＳ１０４：ＹＥＳ）、ステップＳ１０５に進む。
ステップＳ１０５において、制御部３０１は、開指令をドライバ３０２に出力する。ドライバ３０２は、モータ３２に開指令に基づいた駆動信号を送信することで、モータ３２を巻き取り方向に回転させる。ここでは、シャッター装置１は、シャッターカーテン２０が全開となるまで開動作を継続する。
【００３１】
ステップＳ１０６において、制御部３０１は、モータ３２の負荷の検出結果が全閉閾値以上か否かに基づいて、シャッターカーテン２０が閉状態か否かを判定する。制御部３０１は、シャッターカーテンが閉状態である場合（ステップＳ１０６：ＹＥＳ）、ステップＳ１０７に進む。一方、制御部３０１は、シャッターカーテンが閉状態でない場合（ステップＳ１０６：ＮＯ）、ステップＳ１０８に進む。
【００３２】
ステップＳ１０７において、制御部３０１は、予め設定された回数Ｎを指定するとともに旋回指令をモータ３２に出力する。ドライバ３０２は、モータ３２に旋回指令に基づいた駆動信号を送信することで、モータ３２が巻き出し方向にＮ回転する。よって、モータ３２に連結されたシャフト３１がＮ回転巻き出し方向に回転する。ただし、制御部３０１は、シャッターカーテン２０の幅木が床面に当接しているため、シャッターカーテン２０の閉動作を行うことができない。このため、シャッターカーテン２０は、上側のスラット１０によって下側のスラット１０が押圧され、可動羽１００が開状態となり、通風状態となる。制御部３０１は、シャッターカーテン２０を閉状態にすると、ステップＳ１０３に進む。
【００３３】
ステップＳ１０８において、制御部３０１は、予め設定された回数Ｎを指定するとともに逆旋回指令をドライバ３０２を介してモータ３２に出力する。モータ３２はこの信号に基づいて巻き取り方向にＮ回転する。このため、シャッターカーテン２０は、上側のスラット１０によって下側のスラット１０が押圧されず、可動羽１００が閉状態となる。
【００３４】
ステップＳ１０９において、シャッター装置１に対する電源の供給が停止するまでステップＳ１０３に移行し、電源の供給が停止されると、制御装置３００は、動作を終了する。
【００３５】
次に、操作部２００のスイッチとシャッターカーテン２０の状態（開状態、閉状態、一時停止状態、通風状態）の関係について、図５に基づいて説明する。
ステップＳ２０１において、シャッターカーテン２０が開状態の際、ユーザが開スイッチ２０１を押下した場合、シャッターカーテン２０は既に開状態になっているため閉動作を行わない。一方、ユーザが閉スイッチ２０３を押下した場合、シャッターカーテン２０の閉動作を行い、閉状態になる（ステップＳ２０２）。ただし、シャッターカーテン２０の閉動作中に、ユーザが停止スイッチ２０２を押下した場合、制御装置３００は、シャッターカーテン２０の閉動作を停止する。すなわち、途中まで閉じた状態を維持する（ステップＳ２０３）。
【００３６】
シャッターカーテン２０が閉状態である場合において、ユーザが閉スイッチ２０３を押下した場合、シャッターカーテン２０は既に閉状態になっているため動作しない（ステップＳ２０４）。ユーザが開スイッチ２０１を押下した場合、シャッターカーテン２０の開動作を行い、開状態になる（ステップＳ２０５）。ユーザが操作部２００のスイッチをステップ切替スイッチ操作した場合、シャッターカーテン２０が通風状態になる（ステップＳ２０６）。
【００３７】
シャッターカーテン２０が通風状態である場合において、ユーザが開スイッチ２０１を押下した場合、シャッターカーテン２０の開動作を行い、開状態になる（ステップＳ２０７）。ここで、シャッターカーテン２０の開動作中に、ユーザが停止スイッチ２０２を押下した場合、制御装置３００は、シャッターカーテン２０の開動作を停止し、シャッターカーテン２０が停止する。すなわち、途中まで閉じた状態を維持する（ステップＳ２０８）。
図６は、本発明の実施形態における操作部２００のスイッチとシャッターカーテン２０の状態の遷移の動作フローの他の例を示す図である。図６に示すように、シャッターカーテン２０が通風状態である場合において、ユーザが操作部２００のスイッチをステップ切替スイッチ操作した場合、シャッターカーテン２０が閉状態になる。このように、シャッターカーテン２０が通風状態である場合、シャッター装置１は、操作部２００のスイッチ操作に応じて、シャッターカーテン２０を閉状態又は開状態に移行することができる。したがって、シャッターカーテン２０が通風状態である場合、ユーザが開スイッチ２０１の押下以外の操作（例えば、ステップ切替スイッチ操作）を実施することで、シャッター装置１は、シャッターカーテン２０を閉状態に移行することができる。
【００３８】
次に、本実施形態の効果について説明する。図７は、従来のシャッター装置において、操作部のスイッチとシャッターカーテンの状態（開状態、閉状態、一時停止状態、通風状態）の遷移の動作フローを示す図である。
従来のシャッター装置は、シャッターカーテンが開状態の際、ユーザが閉スイッチを押下した場合、シャッターカーテンの閉動作を行い、通風状態になる。また、シャッターカーテンが通風状態の場合、ユーザが開スイッチを押下すると、シャッターカーテンの開動作を行い、開状態になる。
このように、従来のシャッター装置では、シャッターカーテンが閉状態になるモードがない。よって、シャッターカーテンを閉状態にしたい場合、ユーザは、シャッターカーテンの昇降中に手動で停止スイッチをタイミング良く押す必要がある。
しかしながら、例えば、シャッターカーテンが通風状態から開状態に移行する場合、ユーザが停止スイッチを押すタイミングが遅れると、シャッターカーテンと床面に隙間が生じてしまう。また、シャッターカーテンが開状態から通風状態に移行する場合、ユーザが停止スイッチを押すタイミングが遅れると、スラットの可動羽１００が稼動し、スラットの開口が開いてしまう。このように、ユーザがシャッターカーテンの可動羽１００を閉状態あるいは開状態にする場合、従来の装置では、操作が煩雑になる。
しかしながら、上述したように、本実施形態によれば、制御装置３００は、第１のモードと第２のモードの２つのモードを有し、シャッターカーテン２０を開状態から閉状態にする。また、制御装置３００は、シャッターカーテン２０が閉状態の際に、操作部２００からステップ切替スイッチ操作のスイッチ信号に基づいてスラット１０の可動羽１００を稼動させた通風状態にすることができる。さらに、制御装置３００は、シャッターカーテン２０が通風状態の際に、操作部２００から供給されたステップ切替スイッチ操作のスイッチ信号に基づいてスラット１０の可動羽１００を逆方向に稼動させ、シャッターカーテン２０を閉状態にすることができる。これにより、ユーザがシャッターカーテン２０を閉状態にする場合、操作が煩雑にならない。また、制御装置３００は、さらなるモードを有することができる。
また、上述したように、本実施形態によれば、既存の操作部２００のスイッチをそのまま流用し、シャッターカーテン２０の通常動作のスイッチ操作と異なるパターンのスイッチ操作（例えば２つのスイッチを共に押す操作）を行うことでシャッターカーテン２０を閉状態から通風状態にすることができる。これより、新たなスイッチを設ける必要がない。
【００３９】
なお、本発明は、上述の実施形態に限られるものではなく、本発明の趣旨を逸脱しない範囲において、上述の実施形態に種々の変更を加えたものを含む。
本実施形態では、シャッターカーテン２０の幅木が底面に当接したことを検知する方法として、制御装置３００は検出部４００がエンコーダの位置パルスから算出した負荷が全閉閾値以上か否かを判定することを説明したが、本実施形態は、これに限られるものではない。
例えば、物体への接触を検出する接触センサや光学センサなどを用いても良い。センサを用いる場合、シャッターカーテン２０の下端部あるいは、ガイドレール４０、５０の下端部のいずれかの位置にセンサを配置する。そして、シャッターカーテン２０の閉動作により、シャッターカーテン２０の下端部が床面に達すると、例えば、センサがオフ状態からオン状態に変化する。制御装置３００はこのオンオフ状態変化を検出することにより、モータ３２を停止させる。また、制御装置３００は、シャッターカーテン２０が開状態から閉状態になるまでに必要なモータ３２を回転させる回数（以下、「全閉回数」という。）を予め記憶部（不図示）に記憶しておく。制御装置３００は、全開状態から閉操作を行う際に、その記憶部に予め記憶してある全閉回数を読み出し、モータ３２が回転した回数がその全閉回数になるまで回転させる。この全閉回数は、予め現場で調整して決められるものでも良い。
【００４０】
なお、上述した実施形態においては、シャッターカーテン２０が閉状態になった後に、可動羽１００を開状態にする指示を入力する場合について説明したが、シャッターカーテン２０が開状態、又は閉動作を行っている途中において、可動羽１００を開状態にする指示が入力された場合に、シャッターカーテン２０を閉状態にした後、引き続き可動羽１００を開状態にするように制御してもよい。
また、上述した実施形態においては、スラット１０が上側と下側に連結される場合について説明したが、本構成に限定されるものではない。例えば、各スラット１０が隣り合うように連結される構成であれば、連結方向は上下方向に限定されない。
【００４１】
本発明の他の実施例として、以下の付記に示す構成によって実施してもよい。その場合、例えば制御部３０１は、第１のモードにおいて負荷変動を検知することでモータ３２を制御し、シャッターカーテン２０を開閉する。また、制御部３０１は、第２のモードにおいて回転数を検知することでモータ３２を制御し、可動羽１００を開閉させる。
【００４２】
（付記１）
固定羽と前記固定羽に設けられた開口を開状態または閉状態とする可動羽とから構成されるスラットを少なくとも一部に含むシャッターカーテンを開方向または閉方向に駆動させる駆動部を有するシャッター装置であって、前記シャッターカーテンを開閉するように前記駆動部を制御する第１のモードと、前記可動羽を開閉するように前記駆動部を制御する第２のモードとを有する制御部と、を備えたシャッター装置。
【００４３】
（付記２）
前記第１のモードで前記駆動部の負荷が変動を検出した場合に、前記第２のモードで前記駆動部の回転数を検出して前記可動羽を開閉させる付記１のシャッター装置。
【００４４】
（付記３）
固定羽と前記固定羽に設けられた開口を開状態または閉状態とする可動羽とから構成されるスラットを少なくとも一部に含むシャッターカーテンを開方向または閉方向に駆動させる駆動部を有するシャッター装置の制御方法であって、前記シャッターカーテンが閉じるように前記駆動部を制御する第１の制御工程と、前記可動羽を開状態にするように前記駆動部を制御する第２の制御工程と、を有するシャッター装置の制御方法。
【００４５】
上述した実施形態における制御装置３００をコンピュータで実現するようにしてもよい。その場合、この機能を実現するためのプログラムをコンピュータ読み取り可能な記録媒体に記録して、この記録媒体に記録されたプログラムをコンピュータシステムに読み込ませ、実行することによって実現してもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであってもよく、さらに前述した機能をコンピュータシステムにすでに記録されているプログラムとの組み合わせで実現できるものであってもよく、ＦＰＧＡ（Ｆｉｅｌｄ  Ｐｒｏｇｒａｍｍａｂｌｅ Ｇａｔｅ  Ａｒｒａｙ）等のプログラマブルロジックデバイスを用いて実現されるものであってもよい。
【符号の説明】
【００４６】
１  シャッター装置
１０  スラット
２０  シャッターカーテン
３０  シャッターボックス
３１  シャフト
３２  モータ
４０、５０  ガイドレール
１００  可動羽
１０１  固定羽
１００ａ  下前フック
１００ｂ  上前フック
１００ｃ  中前フック
１０１ａ  上後フック
１０１ｂ  下後フック
１０１ｃ  突起部
１０１ｄ  開口
２００  操作部
２０１  開スイッチ
２０２  停止スイッチ
２０３  閉スイッチ
３００  制御装置
３０１  制御部
３０２  ドライバ
４００  検出部
【図１】
2015064753.tif 000003
【図２Ａ】
2015064753.tif 000004
【図２Ｂ】
2015064753.tif 000005
【図３】
2015064753.tif 000006
【図４】
2015064753.tif 000007
【図５】
2015064753.tif 000008
【図６】
2015064753.tif 000009
【図７】
2015064753.tif 000010
【国際調査報告】
2015064753.tif 000011
2015064753.tif 000012